(57)【要約】【課題】　装置の大型化及びコストアップを招くことなくシートを確実に揃えることのできるシート整合装置及びこれを備えたシート給送装置を提供する。【解決手段】　シート載置台２にシート束１３を立てた状態で載置した後、シート載置台２に載置されたシート束１３を整合手段６ａ，６ｂにより、シート載置台２の少なくとも２箇所で上下方向に振動させると共にシート給送方向に移動させて突き当て部４に突き当てることにより、シート束１３の底面及び側端を揃えるようにする。【選択図】　　　図１
2004131290.tif 000002
【特許請求の範囲】
【請求項１】
　シート束を立てた状態で載置するシート載置台と、
　前記シート載置台の少なくとも２箇所でシート束を上下方向に振動させながらシート給送方向へ移動させる整合手段と、
　前記整合手段により移動されるシート束の先端が突き当たる突き当て部と、
　を備えたことを特徴とするシート整合装置。
【請求項２】
　前記整合手段はシート束の底部の少なくとも２箇所を繰り返し持ち上げることによりシート束を振動させる振動部材を有することを特徴とする請求項１記載のシート整合装置。
【請求項３】
　前記振動部材は、前記シート載置台表面に出没しながらシート給送方向に回転する回転体であり、回転角度に応じて前記シート載置台表面に突出する部分の高さが変化することを特徴とする請求項２記載のシート整合装置。
【請求項４】
　前記回転体は偏心した円筒形状を有することを特徴とする請求項３記載のシート整合装置。
【請求項５】
　前記回転体はカム形状を有することを特徴とする請求項３記載のシート整合装置。
【請求項６】
　前記整合手段はシート束の整合をしないときには、前記シート載置台より退避した位置、若しくは前記シート載置台より一部が突出した位置で停止することを特徴とする請求項１記載のシート整合装置。
【請求項７】
　整合壁と、
　前記シートを前記整合壁に押しつける押圧部と、
　を備え、
　前記押圧部は前記整合手段の動作中は整合動作を妨げない位置に移動することを特徴とする請求項１記載のシート整合装置。
【請求項８】
　前記突き当て部は、シート給送方向の下流側に出没自在に設けられ、給送動作中はシートの移動を妨げない位置に移動し、非給送動作中は突出して前記整合手段により移動するシートに突き当たって該シートのシート給送方向へ移動を阻止することを特徴とする請求項１記載のシート整合装置。
【請求項９】
　前記整合手段の動作時間、前記シート束を振動させる回数、前記シート束の上下方向の振幅の少なくとも一つを設定する設定部を備えたことを特徴とする請求項１記載のシート整合装置。
【請求項１０】
　前記シート載置台に載置された前記シートの量を検出する検出部と、
　前記検出部による検出量に応じて前記整合手段の動作時間、前記シート束を振動させる回数、前記シート束の上下方向の振幅の少なくとも一つを切り換える切換部と、
　を備えたことを特徴とする請求項１記載のシート整合装置。
【請求項１１】
　前記整合手段による整合動作終了後に現行の給送動作を行わないモードを実行するか否かを指示する指示部を備えたことを特徴とする請求項１記載のシート整合装置。
【請求項１２】
　前記整合手段による整合動作終了後、シート束から１枚ずつシートを分離する分離部を備えたことを特徴とする請求項１記載のシート整合装置。
【請求項１３】
　前記請求項１乃至１２のいずれか１項に記載のシート整合装置と、前記シート整合装置により整合されたシートを給送するシート給送手段とを備えたことを特徴とするシート給送装置。
【発明の詳細な説明】
【技術分野】
【０００１】
　本発明は、シート整合装置及びこれを備えたシート給送装置に関する。
【背景技術】
【０００２】
　従来、複写機、ファックス等に設けられる画像読取装置においては、シートを画像読取部に給送するためのシート給送装置を備えており、このようなシート給送装置の一例としては、シートである原稿を原稿読取部に給送するＡＤＦ（自動原稿給送装置）がある。
【０００３】
　このようなＡＤＦ（自動原稿給送装置）において、原稿を読み取る際、ユーザは原稿載置台に原稿の先端を揃えてセットする必要がある。
【０００４】
　しかし、このように先端を揃えてセットする際、原稿束の中にサイズの異なる原稿が含まれている場合、全ての原稿が先端を揃えた状態でセットされないことがあり、このような場合には、原稿を一枚ずつ分離搬送する際にジャムが発生したり、給排紙順が異なる等の問題を引き起こしていた。また、原稿がＭＩＣＲなどの磁気インク文字が書かれたものの場合、揃え状態が悪いと、読取部と磁気インク文字との相対位置関係を良好に保つことができず、正確な読み取りを行うことができないという問題が生じていた。
【０００５】
　したがって、このような不具合を防止するため、ユーザは原稿束内の原稿サイズを確認しながら原稿揃えを行う必要があるが、この原稿揃えは煩わしく、またユーザが忘れる場合がある。
【０００６】
　ところで、従来、例えば銀行においては、シートの一例である小切手の束を立てた状態で載置し、この小切手束を振動させることにより小切手束の整列、整合作業を行う整合装置が設置されている（例えば、特許文献１参照。）。
【０００７】
　図９及び図１０は、このような整合装置の概略構成を示すものであり、同図において、２０は図示しない振動手段を内蔵した装置本体、２３は小切手束１３を載置する載置台、２２は一端が装置本体２０の振動手段に直結し、もう一端が載置台２３と接続している接続棒、２１は操作スイッチである。そして、小切手束１３を載置台２３に載置した後、スイッチ２１を押圧すると、装置本体２０の振動手段が接続棒２２を介して載置台２３を振動させるようになっている。
【０００８】
　ここで、このように載置台２３が振動すると、小切手束１３の各々の小切手１３ａが、載置台２３の壁面にて構成され、小切手束１３の側端面を揃える揃え面２４及び載置台２３の底面にて構成され、小切手束１３の底面を揃える揃え面２５に連続的に突き当てられ、この結果、揃え面２４，２５に対し小切手束１３が整列した状態となる。
【０００９】
　これにより、異なるサイズの小切手１３ａが含まれた小切手束１３を載置台２３に載置した場合でも各々の小切手１３ａを、揃え面２４，２５を基準として良好に揃えることができる。さらに、この小切手揃えの際に小切手間に空気層を作ることができ、小切手１３の捌きをも行うことができる。
【００１０】
　このため、このような整合装置と同じ構成の整合装置をシート整合装置としてシート給送装置に搭載すれば、確実にシートである原稿を揃えることができ、ユーザが原稿を載置する際、逐一紙揃えを行う煩わしさが解消され、生産性を大きく向上させることができる。なお、このようなシート整合装置を備えたシート給送装置は、調査の結果、まだ存在しておらず、したがって先行技術文献も存在していない。
【００１１】
【特許文献１】特開平３−２２３０４４号公報
【発明の開示】
【発明が解決しようとする課題】
【００１２】
　ところで、このような従来のシート整合装置を備えたシート給送装置においては、原稿束を揃える際、振動が過度となると、給紙機構の原稿給送不良や、故障を引き起こすおそれがある。
【００１３】
　このため、シート給送装置は十分な剛性を保ち、かつ振動動作による影響を防止するように構成されていなければならない。しかし、このように構成した場合、シート給送装置の大型化、コストアップなどの問題を引き起こすようになる。
【００１４】
　そこで、本発明は、装置の大型化及びコストアップを招くことなくシート（束）を確実に揃えることのできるシート整合装置及びこれを備えたシート給送装置を提供することを目的とするものである。
【課題を解決するための手段】
【００１５】
　本発明は、シート束を立てた状態で載置するシート載置台と、前記シート載置台の少なくとも２箇所でシート束を上下方向に振動させながらシート給送方向へ移動させる整合手段と、前記整合手段により移動されるシート束の先端が突き当たる突き当て部と、を備えたことを特徴とするものである。
【００１６】
　また本発明は、前記整合手段はシート束の底部の少なくとも２箇所を繰り返し持ち上げることによりシート束を振動させる振動部材を有することを特徴とするものである。
【００１７】
　また本発明は、前記振動部材は、前記シート載置台表面に出没しながらシート給送方向に回転する回転体であり、回転角度に応じて前記シート載置台表面に突出する部分の高さが変化することを特徴とするものである。
【００１８】
　また本発明は、前記回転体は偏心した円筒形状を有することを特徴とするものである。
【００１９】
　また本発明は、前記回転体はカム形状を有することを特徴とするものである。
【００２０】
　また本発明は、前記整合手段はシート束の整合をしないときには、前記シート載置台より退避した位置、若しくは前記シート載置台より一部が突出した位置で停止することを特徴とするものである。
【００２１】
　また本発明は、整合壁と、前記シートを前記整合壁に押しつける押圧部と、を備え、前記押圧部は前記整合手段の動作中は整合動作を妨げない位置に移動することを特徴とするものである。
【００２２】
　また本発明は、前記突き当て部は、シート給送方向の下流側に出没自在に設けられ、給送動作中はシートの移動を妨げない位置に移動し、非給送動作中は突出して前記整合手段により移動するシートに突き当たって該シートのシート給送方向へ移動を阻止することを特徴とするものである。
【００２３】
　また本発明は、前記整合手段の動作時間、前記シート束を振動させる回数、前記シート束の上下方向の振幅の少なくとも一つを設定する設定部を備えたことを特徴とするものである。
【００２４】
　また本発明は、前記シート載置台に載置された前記シートの量を検出する検出部と、前記検出部による検出量に応じて前記整合手段の動作時間、前記シート束を振動させる回数、前記シート束の上下方向の振幅の少なくとも一つを切り換える切換部と、を備えたことを特徴とするものである。
【００２５】
　また本発明は、前記整合手段による整合動作終了後に現行の給送動作を行わないモードを実行するか否かを指示する指示部を備えたことを特徴とするものである。
【００２６】
　また本発明は、前記整合手段による整合動作終了後、シート束から１枚ずつシートを分離する分離部を備えたことを特徴とするものである。
【００２７】
　また本発明は、シート給送装置において、上記のいずれかに記載のシート整合装置と、前記シート整合装置により整合されたシートを給送するシート給送手段とを備えたことを特徴とするものである。
【発明の効果】
【００２８】
　以上説明したように本発明によれば、シート載置台にシート束を立てた状態で載置した後、シート束をシート載置台の少なくとも２箇所で上下方向に振動させると共にシート給送方向に移動させて突き当て部に突き当ててシートの底面及び側端を揃えるようにすることにより、装置の大型化及びコストアップを招くことなくシートを揃えることができる。
【発明を実施するための最良の形態】
【００２９】
　以下、本発明を実施するための最良の形態を、図面を用いて詳細に説明する。但し、この実施の形態に記載されている構成部品の寸法、材質、形状、その相対配置等は、特に特定的な記載がないかぎりは、この発明の範囲をそれらのみに限定する趣旨のものではない。
【００３０】
　図１は、本発明の第１の実施の形態に係るシート給送装置の一例である原稿搬送装置の上視図、図２はその側面断面図である。
【００３１】
　図１及び図２において、１は不図示の画像読取装置に設けられた原稿搬送装置、２はシートの一例である原稿束１３を立てた状態、即ち立姿勢で載置するシート載置台である原稿載置台であり、この原稿載置台２には、原稿束１３を立姿勢で保持し、かつバラけないよう原稿束１３を整合壁２Ａに押し付ける押圧手段である押圧板３が設けられている。
【００３２】
　ここで、原稿載置台２には、一度の原稿給送作業において、できるだけ多数の原稿１３ａを給送するべく原稿載置台２に入りきるだけの原稿１３ａを載置することもあれば、原稿載置台２の原稿載置可能容量に比べて極めて少ない量の原稿１３ａを処理する、といった様々な使用状況がある。
【００３３】
　このため、これらの状況に柔軟に対応できるよう、押圧板３は、不図示の付勢手段により原稿載置台２の整合壁２Ａの方向に付勢されると共に、原稿１３ａを原稿載置台２に載置する際、載置される原稿１３ａの量に応じて図１の実線位置から二点鎖線の位置までの範囲内において移動できる構成になっている。なお、この押圧板３は、後述する原稿整合動作が開始される際、不図示の移動手段により原稿１３ａを押える位置から二点鎖線の位置まで移動するようになっている。
【００３４】
　５は原稿載置台２に載置された原稿１３ａを送り出すシート給送手段である給紙ローラ、５１及び５２は給紙ローラ５により送り出された原稿１３ａを１枚ずつ分離して下流側の不図示の画像読取部に搬送する分離搬送部を構成するフィードローラ及びリタードローラである。ここで、この給紙ローラ５は図１に示すように、整合壁２Ａから一部が突出した状態で配置されており、また図２に示すように、上下に移動可能に支持されている。
【００３５】
　２Ｂは後述する原稿整合動作の際に原稿束１３が突き当たる原稿突き当て部、４は給紙ローラ５と分離搬送部との間の原稿搬送路に出没自在に設けられたシャッターであり、このシャッター４は後述するように原稿束１３を整合する際、図２に示すように原稿載置台２の原稿載置面２Ｃの下方の実線で示す位置から、二点鎖線で示す原稿束１３の先端が突き当たる位置まで突出するようになっている。
【００３６】
　なお、突出したとき、シャッター４は原稿束１３に対して原稿突き当て部２Ｂと略同一面を形成するように構成されている。そして、このようにシャッター４を突出させることにより、整合動作の際、原稿１３ａが分離搬送部に入り込むことがないようにしている。
【００３７】
　なお、シャッター４は、整合動作が終了した後、原稿１３ａを送り出す際には、図２の二点鎖線で示す突出位置から、原稿１３ａの送り出しを妨げない実線で示す搬送路から退避した原稿載置面２Ｃの下方位置に移動するようになっている。
【００３８】
　６ａ、６ｂは原稿端を揃えるために原稿送り出し方向に回転する整合手段である回転体であり、この回転体６ａ，６ｂは回転した際、一部が原稿載置面２Ｃから突出するようになっており、このように一部が原稿載置面２Ｃから突出しながら回転することにより、原稿載置面２Ｃに載置された原稿束１３を持ち上げた後、落下させることができると共に、原稿束１３を原稿突き当て部２Ｂ側に移動させ、先端を突き当て部２Ｂに突き当てることができるようになっている。
【００３９】
　そして、このように回転体６ａ，６ｂによって原稿束１３を持ち上げた後、落下させると共に、原稿束１３を原稿突き当て部２Ｂに突き当てることにより、言い換えれば原稿束１３を回転体６ａ，６ｂによって、所定時間連続的に上下方向に振動させると共に原稿給送方向に移動させて原稿突き当て部２Ｂに突き当てることにより、原稿束１３の先端及び底面を揃えることができる。
【００４０】
　１０ａ、１０ｂは２つの回転体６ａ，６ｂの軸、８、９はこれらの軸１０ａ，１０ｂに固着されたプーリであり、この２つプーリ８，９は、ベルト１１を介して連結されている。そして、これらプーリ８，９及びベルト１１により、図示しないギア列によって回転する一方の回転体６ａ，６ｂの回転が他方の回転体に伝達されるようになっている。
【００４１】
　７は発光受光型センサ、１２ａ，１２ｂは一方のプーリ９に形成された突出物であり、この突出物１２ａ，１２ｂは一方のプーリ９の回転に伴って回転し、一方のプーリ９が半回転する毎に発光受光型センサ７を遮光するようになっている。
【００４２】
　ここで、この一方のプーリ９と共に回転する突出物１２ａ，１２ｂが一定の回転周期で発光受光型センサ７の光路を遮ると、後述する図３に示す制御部は、これに対応した発光受光型センサ７からの電気信号に基づき回転体６ａ，６ｂの回転位置を検知するようになっている。
【００４３】
　なお、原稿搬送装置１が待機状態のとき、回転体６ａ，６ｂは図２に示すように原稿載置面２Ｃから突出せず、原稿載置面２Ｃの下方に退避した待機位置で静止している。また、このとき突出物１２ａ，１２ｂは発光受光型センサ７の光路を遮るようになっており、これにより制御装置は、回転体６ａ，６ｂが待機位置にあると判断するようになっている。
【００４４】
　なお、図３は原稿給送装置１の制御ブロック図であり、同図において、１００は操作部、１１０は原稿給送装置を制御する制御部（ＣＰＵ）、１２０は発光受光型センサ７を含むセンサ類、１３０は押圧板７やシャッター４、後述する給紙ローラ５等の各種可動部材を駆動するためのモータ類である。
【００４５】
　ところで、このような構成の原稿搬送装置１は、操作部１００の操作スイッチが押圧されると、まず原稿端揃えの動作を行い、この後、端揃えされた複数枚の原稿１３ａを一枚ずつ分離給送して不図示の画像読取部に搬送するようになっている。
【００４６】
　次に、このような原稿搬送装置１の原稿揃え動作及び原稿給送動作について説明する。
【００４７】
　ユーザが複数枚の原稿１３ａを原稿載置台２に載置し、操作部１００の操作スイッチを押圧すると、まず押圧板３が、原稿束１３への押圧力を弱めるよう、即ち回転体６ａ，６ｂによる整合動作を妨げることのないよう不図示の移動手段により図１の実線位置から二点鎖線で示す位置まで退避する。また、シャッター４は、原稿１３ａの搬送路を遮断するように図１の実線で示す位置に突出する。
【００４８】
　そして、このように押圧板３が退避すると共に回転体６ａ，６ｂは図示しないギア列、２つのプーリ８，９及びベルト１１を介して回転を開始し、このように回転体６ａ，６ｂが回転すると、図４に示すように、回転体６ａ，６ｂの一部である湾曲した４隅部６０〜６３が原稿載置面２Ｃから順次突出して原稿束１３の底面を押し上げた後退避する。
【００４９】
　ここで、例えば第１隅部６０が原稿載置台２から突出した際、原稿束１３に接触する点をＰ０とすると、回転体６ａ，６ｂが回転しながら点Ｐ０において原稿束１３と接触した後、原稿束１３は回転体６ａ，６ｂの回転に追従して原稿載置台２に対して垂直方向に持ち上げられ、かつ回転体６ａ，６ｂと原稿束１３との摩擦力により、水平方向に対して原稿給送方向である搬送路下流へ運ばれる。なお、この後、回転体６ａ，６ｂが原稿載置面２Ｃより下面に退避すると、原稿束１３は重力によって原稿載置面２Ｃまで落下し、かつ搬送路下流に移動した状態となる。
【００５０】
　次に、回転体６ａ，６ｂの回転に伴い、第１隅部６０の回転方向上流に位置する第２隅部６１が点Ｐ１において原稿束１３と接触すると、第１隅部６０の場合と同様に原稿束１３は回転体６ａ，６ｂの回転方向に追従して原稿載置面２Ｃから持ち上げられ、回転体６ａ，６ｂが原稿載置台２より退避すると、原稿束１３は原稿載置面２Ｃまで落下し、かつ搬送路下流に移動した状態となる。
【００５１】
　このように、回転体６ａ，６ｂの回転に伴い、原稿束１３は原稿端部が原稿突き当て部２Ｂに突き当たるまで搬送路下流に移動してゆく。
【００５２】
　ところで、このようにして原稿束１３が回転体６ａ，６ｂにより原稿突き当て部２Ｂ及びシャッター４に到達した際、例えば原稿束１３の内サイズが小さい原稿は原稿突き当て部２Ｂ及びシャッター４に到達していない場合がある。しかし、このような場合でも、このサイズの小さい原稿は、この後、引き続き行われる上記動作により、原稿突き当て部２Ｂ及びシャッター４に向かって徐々に搬送路下流へと運ばれていく。
【００５３】
　なお、既に原稿突き当て部２Ｂ及びシャッター４に突き当たっている原稿は原稿突き当て部２Ｂ及びシャッター４に遮られつつ、回転体６ａ，６ｂの動作によって原稿載置面２Ｃに対して上方に持ち上げられた後、再度落下する、といった挙動を繰返す。
【００５４】
　そして、このように原稿束１３を持ち上げた後、落下させるという振動動作を繰り返すことにより、原稿束１３は原稿載置面２Ｃに対して充分に整列されると共に、原稿間に発生している吸着力が取り除かれて各々の原稿の間に空気層が構成される。これにより、さばき動作が行われ、このさばき動作の効果によって、以後に行われる原稿１３ａの分離搬送動作を円滑に行うことができるようになる。また、原稿束１３が連続的に原稿突き当て部２Ｂ及びシャッター４に突き当たることにより、複数のサイズの原稿が混じっている場合でも、各々の原稿の先端を揃えることができる。
【００５５】
　ところで、この後、全ての原稿１３ａが原稿突き当て部２Ｂ及びシャッター４及び原稿載置面２Ｃに対して充分に整列されうる時間だけ回転体６ａ，６ｂが回転し、前述の動作を所定の時間繰返すと、回転体６ａ，６ｂは前述した発光受光型センサ７によって検知される待機位置に停止するように、制御部１１０によって制御される。
【００５６】
　例えば、制御部１１０は一方のプーリ９の突出物１２ａ，１２ｂにより反射型センサ７の光路が遮られた回数をカウントし、このカウント値が所定の値となったときに、回転体６ａ，６ｂの回転を停止すると共に、シャッター４を原稿載置台２から図２に示される実線位置まで退避させる。これにより、原稿端揃え動作が終了する。なお、このとき回転体６ａ，６ｂは図２に示すように原稿載置面２Ｃから退避した位置で停止する。
【００５７】
　次に、このような原稿端揃え動作が終了すると、前述したように給紙ローラ５によって原稿束１３を送り出し、この後、フィードローラ５１及びリタードローラ５２により原稿を１枚ずつ分離して搬送する。そして、すべての原稿が原稿載置台２から搬送された後に全ての動作を終了する。
【００５８】
　このように、原稿束１３を原稿載置台２に立てた状態で載置した後、回転体６ａ、６ｂにより所定時間連続的に上下方向に振動させると共にシート給送方向に移動させて原稿突き当て部２Ｂ及びシャッター４に突き当てることにより、原稿束１３の端揃えを簡単な構成で行うことができ、また、原稿搬送装置（シート給送装置）の小型、軽量、省スペース化が可能となると共に、コストアップを招くことなく装置を安価に構成することができる。
【００５９】
　ところで、これまでの説明においては、２つの回転体６ａ，６ｂが原稿載置台２から退避した状態のときを待機状態としたが、図５のように回転体６ａ，６ｂの一部（隅部）が原稿載置台２から突出した状態を待機状態としても良い。なお、このように構成した場合、一方の回転体６ｂが同図に示す待機状態にあるとき、突出物１２は発光受光型センサ７の光路を遮るように、一方の回転体６ｂに設けられている。
【００６０】
　そして、このように２つの回転体６ａ，６ｂが原稿載置台２から退避した状態でなく、２つの回転体６ａ，６ｂがそれぞれ原稿載置台２に対して同一高さだけ突出した状態を待機状態とすることにより、原稿載置面２Ｃに凹凸がある場合でも、原稿束１３を、以後の給送動作に影響を及ぼすことのない姿勢に保つことができる。また、この突出量をきめ細かく調整することにより、原稿束１３をより適切な状態に保つことができる。
【００６１】
　なお、給送動作に影響を及ぼすことのない姿勢に保つためには、２つの回転体６ａ，６ｂを同一高さだけ突出させるのではなく、例えば原稿載置面２Ｃが傾斜している場合には、２つの回転体６ａ，６ｂの高さが異なる状態を待機状態として、原稿束１３を、原稿載置面２Ｃに対して傾斜した状態に保持するようにしても良い。
【００６２】
　さらに、これまでの説明においては、整合手段である２つの回転体６ａ，６ｂにより、原稿束１３を上下方向に振動させながら給送方向へ移動させる場合について述べてきたが、本発明は、これに限らず、少なくとも２箇所で原稿束１３を上下方向に振動させながら給送方向へ移動させるようにすれば、シート束１３の底面及び側端を揃えることができる。
【００６３】
　一方、これまでの説明においては、原稿載置面２Ｃより突出及び退避を繰返す整合手段として、４隅を備えた正方形断面を持つ回転体６ａ，６ｂを用いた場合について説明したが、本発明はこれに限らず、回転体６の形状は、図６の（ａ）に示されるような偏心した円筒形状、或は図６の（ｂ）に示されるようなカム形状のものであってもよい。そして、回転体６を、このような形状とすることにより、既述した原稿束の適切な高さ位置や、傾斜方向をきめ細かく設定することができる。
【００６４】
　さらに、整合手段は上記のような回転体６ａ，６ｂに限ることはなく、図７の（ａ）に示すようにカム部材６Ａと、カム部材６Ａの形状により原稿載置面２Ｃから突出及び退避を繰返す振動部材６Ｂとを備えたものや、図７の（ｂ）に示すようにカム部材６Ａと、カム部材６Ａの形状により原稿載置面２Ｃに対して斜行して突出及び退避を繰返す振動部材６Ｃとを備えた構成のものでもよい。
【００６５】
　なお、図７の（ａ）に示すものは、カム部材６Ａの位相が異なるようにすることにより、振動部材６Ｂが、原稿束１３を矢印に示すシャッター４の方向に向わせるように傾いた状態で上下方向に移動するようになっている。
【００６６】
　そして、このようにカム部材６Ａにより振動部材６Ｂ，６Ｃを上下動させるようにすることで、緩やかな振動で原稿束１３の端揃えの動作を良好に行うことができる。なお、このような構成は、特に原稿が薄く腰の弱いものの場合において効果がある。
【００６７】
　ところで、原稿端揃えの動作時間、回転体６ａ，６ｂや振動部材６Ｂ，６Ｃを突出及び退避させる回数（原稿束１３を振動させる回数）及び速さ、原稿束１３の上下方向の振幅等の動作条件の少なくとも一つを原稿束１３の載置量、紙質等の状態に応じてユーザが適宜設定するようにすれば、より効率よく、原稿端揃えを行うことができる。
【００６８】
　さらに、原稿束１３の積載量をセンサ等で検出し、検出量に応じて動作条件を自動的に設定するようにすれば、ユーザが原稿束１３の載置量に応じて適切な動作条件を適宜選択するといった煩雑さを解消することができ、装置の操作性向上に大きく寄与することができる。
【００６９】
　図８は、このような原稿束１３の積載量に応じて動作条件を自動的に設定するようにした本発明の第２の実施の形態に係るシート給送装置の制御ブロック図である。同図において、１４は原稿端揃えの動作時間、回転体や振動部材の突出及び退避回数、速さ、原稿１３ａの載置量、紙質等の状態に適した動作条件をユーザが適宜設定するための動作条件設定部、１６はユーザが適宜設定した動作条件を記憶する動作条件記憶部、１５はＣＰＵ、１７は図１〜７を用いて説明した回転体６ａ，６ｂを備えた整合部である。
【００７０】
　ここで、このＣＰＵ１５は、動作条件設定部１４により設定された設定情報を動作条件記憶部１６に保持させると共に、原稿端揃動作を行う際、記憶された動作条件を電気信号として整合部１７に送信して原稿端揃動作（整合動作）を行わせるものである。なお、このように一旦設定した動作条件を動作条件記憶部１６に保持しておくことにより、それ以降は記憶された設定内容を呼び出せば、再度設定しなおす手間を省くことができる。
【００７１】
　一方、同図において、１８は原稿載置台２に載置された原稿１３ａの積載量を検出する検出手段である原稿積載量検出部であり、切り換え手段であるＣＰＵ１５は、その検出量に応じて上述の動作条件の少なくとも一つを切り換えるようにしている。
【００７２】
　なお、このような原稿積載量検出部１８としては、例えば図１に示すように押圧板３の保持位置を検出することにより原稿１３ａの積載量を検知する構成のものとし、ＣＰＵ１５は、その保持位置に対応する電気信号に基づいて原稿積載量を判断するようになっている。
【００７３】
　そして、このように構成することにより、即ち原稿１３ａの積載量に応じてＣＰＵ１５が上記動作条件の少なくとも一つを自動的に設定するようにすることにより、ユーザが原稿の載置量に応じて適切な動作条件を適宜選択するといった煩雑さを解消することができ、装置の操作性が大きく向上する。
【００７４】
　ところで、これまでは原稿揃え動作及び原稿給送動作を順番に自動的に行う動作設定について説明したが、本発明はこれに限らず、ユーザが原稿揃え動作を希望しない場合には原稿給送動作のみを行えるよう、若しくは原稿揃え動作のみを行えるよう、動作条件設定部１４からＣＰＵ１５を介して動作条件記憶部１６に記憶させ、適宜選択できるように構成してもよい。
【００７５】
　このように整合動作の実行を選択可能にすることにより、例えば同じサイズの原稿を載置した場合等、原稿を整合させる必要のない場合には、直ちに原稿給送動作を行うことができる。また、ユーザが原稿束を保管若しくは運搬のために予め充分に端揃えを行いたい場合には、整合動作のみを行うことができ、効率がアップする。
【図面の簡単な説明】
【００７６】
【図１】本発明の第１の実施の形態に係る原稿搬送装置の上視図。
【図２】原稿搬送装置の側面断面図。
【図３】原稿搬送装置の制御ブロック図。
【図４】原稿搬送装置に設けられた回転体の説明図。
【図５】回転体の停止状態の他の例を示す図。
【図６】回転体の形状の例を示した図。
【図７】整合手段の他の構成を示した図。
【図８】本発明の第２の実施の形態に係る原稿搬送装置の制御ブロック図。
【図９】従来の整合装置の斜視図。
【図１０】従来の整合装置の横断面図。
【符号の説明】
【００７７】
１　　　　　原稿搬送装置
２　　　　　原稿載置台
２Ａ　　　　整合壁
２Ｂ　　　　原稿突き当て部
２Ｃ　　　　原稿載置面
３　　　　　押圧板
４　　　　　シャッター
５　　　　　給紙ローラ
６ａ，６ｂ　回転体
６Ａ　　　　カム部材
７　　　　　発光受光型センサ
１３　　　　原稿束
１３ａ　　　原稿
１４　　　　動作条件設定部
１５　　　　ＣＰＵ
１６　　　　動作条件記憶部
１７　　　　整合部
１８　　　　原稿積載量検出部
５１　　　　フィードローラ
５２　　　　リタードローラ
１００　　　操作部
１１０　　　制御部（ＣＰＵ）
【図１】
2004131290.tif 000003
【図２】
2004131290.tif 000004
【図３】
2004131290.tif 000005
【図４】
2004131290.tif 000006
【図５】
2004131290.tif 000007
【図６】
2004131290.tif 000008
【図７】
2004131290.tif 000009
【図８】
2004131290.tif 000010
【図９】
2004131290.tif 000011
【図１０】
2004131290.tif 000012